(57)【要約】【課題】便利に収納と延伸ができ、携帯と使用に便利である、箸の提供。【解決手段】第一殼体、第二殼体及び嵌入片から構成され、前記第一殼体内に通路が穿設され、前記通路に第二殼体を穿置することができ、前記第二殼体内に収容空間が設けられ、前記収容空間内に前記嵌入片が設置され、前記嵌入片の一端を延伸して設けた支持片が前記第二殼体に当接し、他端に設けた突起が前記第二殼体の穿通孔から穿出され、前記第一殼体の当接辺に当たり、第一殼体と第二殼体を効果的に固定することができ、使用者が便利に箸を伸ばして固定したり、収納したりすることができる。【選択図】図１
0003133655.tif 000002
【実用新案登録請求の範囲】
【請求項１】
第一殼体、第二殼体及び嵌入片を含んで構成され、前記第一殼体内に貫通状の通路が穿設され、前記通路１は第二殼体を穿通させることができ、前記第二殼体内に収容空間が設けられ、そのうち、前記収容空間内に嵌入片が設置され、前記嵌入片は一端に延伸して設けられた支持片が前記第二殼体に当接し、且つ他端に設けられた突起が前記第二殼体の穿通孔から穿出され、且つ第一殼体の当接辺に当たり、第二殼体を第一殼体から穿出させた後、第一殼体と第二殼体を効果的に固定し、使用者が便利に使用と収納を行うことができることを特徴とする、箸。        
【請求項２】
前記第二殼体が前記嵌入片の突起により第一殼体の当接辺に引っかかって固定され、前記第二殼体を前記第一殼体の通路内に収納したいときは、前記突起上を押すと前記突起を前記収容空間内に収納し、前記第二殼体を前記第一殼体の通路内に押し戻すことができることを特徴とする、請求項１に記載の箸。
【請求項３】
前記第一殼体の一端にさらに蓋体が設置され、前記第一殼体に前記第二殼体を穿置した後、前記蓋体を前記第一殼体に被せ、箸の美観と一体性を強化し、且つ収納後前記第二殼体が前記第一殼体から脱落するのを防ぐことを特徴とする、請求項１に記載の箸。        
【考案の詳細な説明】
【技術分野】
【０００１】
本考案は箸の構造改良に関し、詳細には、第一殼体と第二殼体間を嵌入片で固定し結合させて成り、使用者が手軽に収納して携帯することができ、且つ便利に延伸して使用することができる、箸に関する。
【背景技術】
【０００２】
現在多くのレストランや食堂で使用されているのはほとんどが竹箸であり、メーカーは竹箸の外観をきれいに見せる必要があるため、竹箸の製造時に漂白剤で漂白を行なっており、このため、竹箸上には人体に有害な薬剤が残留し、人体の健康に大きな影響を及ぼすだけでなく、竹箸の大量使用は自然生態環境の破壊を招きやすい。
【０００３】
さらに、一般の消費者はレストランや食堂で食事をするとき、漂白剤で漂白した竹箸の使用を避けるには自分で箸を携帯しなければならず、また一般的な市場で販売されているプラスチック箸または鉄製箸はみな一体成形から成り、収納できない様式であるため、携帯時にかなり面倒で空間を占有すると同時に、消費者が自分で箸を携帯しようという意欲を低下させてしまう。
【０００４】
このため、上述の問題をいかに排除するかが、本考案の解決する技術的問題である。
【考案の開示】
【考案が解決しようとする課題】
【０００５】
本考案の目的は、便利に収納と延伸ができ、携帯と使用に便利である、箸を提供することにある。      
【課題を解決するための手段】
【０００６】
以下、本考案について図面、符号及び実施例に基づき詳細に説明する。本考案の箸の構造改良は、図１、図２、図３に示すように、箸Ａが第一殼体Ｂ、第二殼体Ｃ及び嵌入片Ｄを含んで構成され、前記第一殼体Ｂ内に貫通状の通路Ｂ１が穿設され、前記通路Ｂ１に第二殼体Ｃを穿置させることができ、且つ、前記第一殼体Ｃと第二殼体Ｂは斜度を備え、前記第一殼体Ｂと第二殼体Ｃはその斜度により係止させることができ、そのうち、前記第一殼体Ｂの末端に蓋体Ｅが設置され、前記第二殼体Ｃを第一殼体Ｂの通路Ｂ１内に留めて収納すると共に、前記第二殼体Ｃ内に収容空間Ｃ１が設けられ、前記収容空間Ｃ１内に嵌入片Ｄが設置され、前記嵌入片Ｄは一端を延伸して支持片Ｄ１が設けられ、且つ第二殼体Ｃに当接し、前記嵌入片Ｄの他端に突起Ｄ２が設けられ、且つ、前記突起Ｄ２が第二殼体Ｃの穿通孔Ｃ２から穿出されて、第一殼体Ｂの当接辺Ｂ２に当たり、第一殼体Ｂと第二殼体Ｃを効果的に固定し、使用者が便利に箸を伸ばして固定したり、収納したりすることができる。      
【考案の効果】
【０００７】
本考案の進歩性と実用性をよりはっきりと示すため、以下従来品と比較して分析する：
《従来品の欠点》
一、漂白剤で漂白した竹箸は、人体の健康に影響を及ぼしやすい。
二、竹箸の大量使用は自然生態の破壊を招きやすい。
三、市場で見受けられる箸は一体成形で成り、且つ収納できない形式である。
四、第三点を受け、携帯に不便で空間が占用される。
《本考案の利点》
一、便利に収納と延伸させる動作を行うことができる。
二、携帯と使用に便利である。
三、低コストで高機能が得られる。
四、進歩性と実用性を備えている。
五、産業的競争力が向上される。  
【考案を実施するための最良の形態】
【０００８】
本考案の実施方式は箸の構造改良を提供するものであり、図４、図５及び図６に示すように、前記第二殼体Ｃは嵌入片Ｄ（図２参照）の突起Ｄ２を穿設し、第一殼体Ｂの当接辺Ｂ２に引っかかるようにして効果的に第二殼体Ｃを第一殼体Ｂに対して固定することができ、使用者は第一殼体Ｂを握り、第二殼体Ｃの挟持部Ｆを操作することができる。そのうち、第二殼体Ｃを第一殼体Ｂの通路Ｂ１内に収納したいときは、突起Ｄ２上を押して突起Ｄ２を第二殼体Ｃ内に押し込むと、前記突起Ｄ２が同時に第一殼体Ｂの当接辺Ｂ２から離脱し、このとき、第二殼体Ｃを第一殼体Ｂの通路Ｂ１内に押し戻すと簡単に第一殼体Ｂに第二殼体Ｃを収納する動作が完了する。嵌入片Ｄ（図２参照）の設置により、使用者は便利に固定と収納の目的を達することができる。
【０００９】
以上で述べた説明は本考案の最良の実施例に基づくものであり、本考案の特許範囲を制限するものではなく、本考案の明細書及び図面の内容を運用した同等効果を得る構造を直接的または間接的にその他関連技術領域に運用したものはすべて、本考案の要旨の範囲内に含まれるものとみなす。
【００１０】
上述のように、本考案は先行技術を打破する構造の下、確実にその増進を図る効果を達成することができ、且つ、前記関連技術を熟知する者が容易に思いつくものではない。さらに、本考案はその出願以前に公開されたことはなく、その進歩性と実用性は実用新案登録出願の要件を満たしているため、法に基づきここに実用新案登録を出願するものである。
【図面の簡単な説明】
【００１１】
【図１】本考案の立体図である。
【図２】本考案の立体分解図である。
【図３】本考案の部分拡大図である。
【図４】本考案の実施例図の一である。
【図５】本考案の実施例図の二である。
【図６】本考案の実施例図の三である。
【符号の説明】
【００１２】
Ａ        箸
Ｂ        第一殼体
Ｂ１      通路
Ｂ２      当接辺
Ｃ        第二殼体
Ｃ１      収容空間
Ｃ２      穿通孔
Ｄ        嵌入片
Ｄ１      支持片
Ｄ２      突起
Ｅ        蓋体
Ｆ        挟持部
【図１】
0003133655.tif 000003
【図２】
0003133655.tif 000004
【図３】
0003133655.tif 000005
【図４】
0003133655.tif 000006
【図５】
0003133655.tif 000007
【図６】
0003133655.tif 000008